(57)【要約】【課題】ミストを胸部および腹部を中心に噴霧することにより、目に入ったりする不快を排除し、快適な入浴ができる浴室装置を提供する。【解決手段】ミストを噴霧する複数のノズル１０を配設したノズルユニット１１を備えたミスト発生装置８を洗い場水栓７の上方近傍の壁面６に設置することにより、噴霧したミストは胸部から腹部を中心に身体全体を包み込み、短時間で暖まることができ、また噴霧したミストが使用者の目に入ることがなく快適な入浴ができる。【選択図】　図１
2004049677.tif 000002
【特許請求の範囲】
【請求項１】
湯水を噴霧する複数のノズルを配設したノズルユニットを備えたミスト発生装置を洗い場水栓の上方近傍の壁面に設置した浴室装置。
【請求項２】
前記ノズルユニットの幅が設置壁面下方の洗い場の幅と略等しい請求項１記載の浴室装置。
【請求項３】
前記ノズルユニットは下部に設けたレバーにより上下に回動可能なミスト発生装置を備えた請求項１および２記載の浴室装置。
【請求項４】
複数のノズルユニットを水平方向に配設し、各ノズルユニットが別々に回動する構成のミスト発生装置を備えた請求項１〜３のいずれか１項記載の浴室装置。
【請求項５】
前記ミスト発生装置の本体下部にノズルユニットを設け、本体上部に収納棚を形成した構成の請求項１〜４のいずれか１項記載の浴室装置。
【発明の詳細な説明】
【０００１】
【発明の属する技術分野】
本発明はミスト発生装置を備えた浴室装置に関するものである。
【０００２】
【従来の技術】
従来のミスト発生装置を備えた浴室装置は図５に示すように、ミスト発生装置の本体１を浴室壁面２に取り付けてあり、本体１には湯を霧状に噴霧するノズル３を縦に複数個設け、本体１は支点４を中心に左右に回動可能な構成である。
【０００３】
また、図５は特開２００１−３１１５２４公報に記載された浴室暖房装置を示すものであるが、複数個のノズル３が水平に配設されたミストサウナ装置は、水栓１０の下方に位置する非常に低い位置に設置してある。
【０００４】
【発明が解決しようとする課題】
しかしながら、上記従来の浴室装置は、風呂椅子等に座ってミスト入浴する場合、ミスト発生装置のノズルが縦に複数個並べられているため、噴霧した霧状の湯水（以降ミストと呼ぶ）が目に入りやすく不快であったり、また、ミスト発生装置が低い位置にあり、且つ固定ノズルのため、足にのみに噴霧し、身体全体があたたまりにくいという課題があった。
【０００５】
【課題を解決するための手段】
前記従来の課題を解決するため、本発明の浴室装置は、湯水を噴霧する複数のノズルを配設したノズルユニットを備えたミスト発生装置を、洗い場水栓の上方近傍の壁面に設置したものである。
【０００６】
上記発明によれば、風呂椅子等に座ってミスト入浴する場合ノズル設置位置が胸部から腹部の高さになるため、噴霧したミストは胸部から腹部を中心に身体全体を包み込み、短時間で暖まることができ、また噴霧したミストが使用者の目に入ることがなく快適である。
【０００７】
また、ミスト発生装置を設けても鏡や洗い場水栓を使い勝手がよい位置に設置することができ、快適で使い勝手の良い浴室装置を提供することができる。
【０００８】
【発明の実施の形態】
請求項１にかかる発明は、湯水を噴霧する複数のノズルを配設したノズルユニットを備えたミスト発生装置を、洗い場水栓の上方近傍の壁面に設置したことにより、風呂椅子等に座ってミスト入浴する場合、ミストが胸部から腹部にかけて噴霧されるため、体全体を包み込み短時間で暖まることができ、噴霧した湯が使用者の目に入ることがなく快適であり、また、鏡や洗い場水栓も使い勝手がよい位置に設置できる。
【０００９】
請求項２にかかる発明は、ノズルユニットの幅が設置壁面下方の洗い場の幅と略等しくすることにより、ミストが直接身体に当たるのはもとより、洗い場全体に広がるため、洗い場全体が暖かくなり、快適に入浴することができる。
【００１０】
請求項３にかかる発明は、ノズルユニットは下部に設けたレバーにより上下に回動可能とすることにより、レバー操作ででノズルの上下の角度を調節をすることができ、使用者の体格や好みに合わせて最適な位置に噴霧することができる。
【００１１】
請求項４にかかる発明は、複数のノズルユニットを水平方向に配設し、各ノズルユニットが別々に回動することにより、各ノズルユニットを異なる角度に設定することができ、使用者の好みの位置や広い範囲でのでミスト入浴できる。
【００１２】
請求項５にかかる発明は、ミスト発生装置の本体下部にノズルユニットを設け、本体上部に収納棚を形成したことにより、洗い場水栓上方の使い勝手の良い位置を収納棚として使用することができるため、使い勝手がよく、浴室内の備品として一体感があり、デザインも優れたものとなる。
【００１３】
【実施例】
以下、本発明の実施例について図面を用いて説明する。
【００１４】
（実施例１）
図１は本発明の第１の実施例における浴室装置の斜視図を示すものであり、図２はミスト発生装置の断面図を示すものである。
【００１５】
図１において、浴室の壁面６下部には洗い場水栓７が設置されており、その上方にミスト発生装置８が設置されており、その上方に鏡９が取り付けられている。
【００１６】
前記ミスト発生装置８は、下部には湯水を噴霧する複数のノズル１０を水平方向に直線的に配設したノズルユニット１１を設け、ノズルユニット１１の下部側端部にはレバー１２が設けられている。ノズルユニット１１の幅は洗い場の幅１３に可能な限り合わすように長くしている。
【００１７】
ミスト発生装置８の上面はフラット状に形成し、収納棚１４を兼ねた構成にしており、またミスト発生装置８の前面には操作用のスイッチ１５が設けられている。
【００１８】
図２において、ノズルユニット１１は、中央部に噴霧口１０ａを有するノズル１０を金属あるいは樹脂のパイプ１６に適当な間隔で固定し、ノズル１０およびパイプ１６はノズルカバー１７で覆い、ノズルカバー１７の側端部にレバー１２が取り付けてある。このような構成のノズルユニット１１がミスト発生装置８の下部に回動自在に緩装されている。
【００１９】
以上のように構成された浴室装置について、以下その動作、作用を説明する。
【００２０】
ミスト発生装置８の前方に配置した風呂椅子等に座って、ミスト発生装置８のスイッチ１５を入れると、ノズル１０からミストが入浴者の胸部および腹部を中心に身体全体を包み込むように噴霧し、短時間であたたまることができるとともに、ノズルユニット１１の幅が洗い場の幅１３とほぼ等しいため、洗い場全体を暖かくすることができる。
【００２１】
ノズルユニット１１はレバー１２を操作することによりノズル１０の向きを入浴者の体格や好みに合わせて調節することができる。
【００２２】
またノズル１０はノズルユニット１１の表面より奥まった場所に設置されており、噴霧口１０ａを直接入浴者がさわったり、汚れが付着することを防止している。
【００２３】
またミスト発生装置８の上面は収納棚１４として石けんやシャンプー等の浴室備品の置き場として使用できる。
【００２４】
以上のように本実施例では洗い場水栓７の上方近傍にミスト発生装置８設置し、幅の広いノズルユニット１１を採用したことにより、ノズル１０の床面からの高さは５５〜８５センチとなり風呂椅子に座ってミスト入浴する場合、入浴者の胸部および腹部を中心とする高さにミストが噴霧されるため、ミストが目に入ることがなく快適に入浴することができ、またノズルユニット１１の角度を調節することにより、子供から大人まで使用することが可能である。
【００２５】
また、洗い場水栓７、鏡９も本来の位置をほとんど変更することなく設置することが可能であり、収納棚１４を含め浴室の機能として全て使い勝手の良い高さが実現できる。
【００２６】
（実施例２）
図３は、本発明の第２の実施例における浴室装置の斜視図を示すものである。
【００２７】
図３において、洗い場水栓７は洗い場と浴槽の兼用とし、洗い場カウンター１８上面に設置してあり、鏡９は横長のものを設置している。ミスト発生装置８の下部には左右２個に分割し、別々に上下に回動可能なノズルユニット１１ａ、１１ｂを設けている。なお、実施例１と同一符号のものは同一構造を有し説明は省略する。
【００２８】
次に動作、作用を説明すると、本実施例の場合、ノズルユニット１１ａ、１１ｂは左右に配設されており、目的に合わせて左右別の角度に調節することができる。
【００２９】
以上のように、ノズルユニット１１ａ、１１ｂの調節の自由度が高いため、入浴者の体格や好みに合わせてミストを広いの範囲に噴霧することができ、また、大人と子供が同時に使用する場合等には別々の角度に調節して、お互いに最適な状態で入浴することが可能である。また、ノズルユニットを分けることにより、ノズルユニットの長さが半分になり製造しやすくなるという利点もある。
【００３０】
また、洗い場水栓７や鏡９は実施例１と同様に本来の設置高さに設置することができ、使い勝手がよい。
【００３１】
【発明の効果】
以上説明したように本発明の浴室装置は、風呂椅子等に座ってミスト入浴する場合、ミストを胸部から腹部にかけて噴霧するため、体全体を包み込み短時間であたたまることができ、噴霧したミストが使用者の目に入ることがなく快適であり、また、鏡や洗い場水栓も使い勝手がよい位置に設置できる。
【図面の簡単な説明】
【図１】本発明の実施例１における浴室装置の斜視図
【図２】本発明の実施例１におけるミスト発生装置の断面図
【図３】本発明の実施例２における浴室装置の斜視図
【図４】従来の浴室装置の断面図
【図５】従来の浴室装置の斜視図
【符号の説明】
６　壁面
７　洗い場水栓
８　ミスト発生装置
１０　ノズル
１１　ノズルユニット
１２　レバー
１４　収納棚
【図１】
2004049677.tif 000003
【図２】
2004049677.tif 000004
【図３】
2004049677.tif 000005
【図４】
2004049677.tif 000006
【図５】
2004049677.tif 000007